(57)【特許請求の範囲】
【請求項１】
所定巾及び所定深さを有する側溝の掃除具であって、底部材の左右には夫々左右部材が立設され、更に、前記底部材の後部には前記左右部材と連設される後部材が立設されたゴミ取り体を有し、このゴミ取り体には握柄が設けられ、また、少なくとも前記底部材は線材が交叉状態に配されるアミ材により構成され、また、前記底部材の前縁には刃部が設けられ、この刃部は、金属製の板材を前記底板材及び前記左右部材夫々の先端両面に折り返し挟み込み状態で設けて構成され、更に、前記左右部材及び後部材の上縁には補強枠が設けられ、この補強枠は、金属製の板材を前記左右部材及び後部材夫々の上縁両面に折り返し挟み込み状態で設けて構成されていることを特徴とする掃除具。
【請求項２】
所定巾及び所定深さを有する側溝などの掃除具であって、底部材の左右には夫々左右部材が立設され、更に、前記底部材の後部には前記左右部材と連設される後部材が立設されたゴミ取り体を有し、このゴミ取り体には握柄が設けられ、また、前記底部材，前記左右部材及び前記後部材は線材が交叉状態に配されるアミ材により構成され、また、前記底部材の前縁には刃部が設けられ、この刃部は、金属製の板材を前記底板材及び前記左右部材夫々の先端両面に折り返し挟み込み状態で設けて構成され、更に、前記左右部材及び後部材の上縁には補強枠が設けられ、この補強枠は、金属製の板材を前記左右部材及び後部材夫々の上縁両面に折り返し挟み込み状態で設けて構成されていることを特徴とする掃除具。
【発明の詳細な説明】
【０００１】
【発明の属する技術分野】
本発明は、側溝の掃除具に関するものである。
【０００２】
【従来の技術及び発明が解決しようとする課題】
従来から、道路に沿って設けられる側溝を掃除するための掃除具（以下、従来例）が提案されている。
【０００３】
この従来例は、底部材の左右部位及び後ろ部位に壁部材を立設した構成の箱状のゴミ取り体と、このゴミ取り体に連設される握柄とで構成され、この従来例に係るゴミ取り体は鉄板を適宜成形して成り、底部材の所定位置には水抜き穴が形成されている。
【０００４】
使用に際しては、握柄を握ってゴミ取り体により側溝の底に溜まった泥や草や紙などのゴミを掬い、この掬ったゴミをゴミ受け（容器）などに入れて回収することになる。
【０００５】
ところが、この従来例は、ゴミ取り体の底部材に水抜き穴が形成されているものの、この水抜き穴以外の部位で水分が保持されてしまい非常に水はけが悪く、よって、掬ったゴミと共に水分もゴミ受けに入れることになるためゴミ受けが水浸しとなって直ぐに溢れてしまい、しかも、水分を多量に含んだゴミは非常に重く、このことが作業者にとって大きな負担となり作業効率の低下の原因となっている。
【０００６】
また、従来例は、ゴミ取り体の底部材が鉄板に水抜き穴を形成した構成であるため、何ら引っ掛かりがなくてこの水抜き穴から掬ったゴミが落ち易いという問題点もある。
【０００７】
本発明は、上述の問題点に鑑み、極めて商品価値の高い画期的な掃除具を開発した。
【０００８】
【課題を解決するための手段】
添付図面を参照して本発明の要旨を説明する。
【０００９】
所定巾及び所定深さを有する側溝の掃除具であって、底部材１の左右には夫々左右部材２，３が立設され、更に、前記底部材１の後部には前記左右部材２，３と連設される後部材４が立設されたゴミ取り体５を有し、このゴミ取り体５には握柄６が設けられ、また、少なくとも前記底部材１は線材が交叉状態に配されるアミ材７により構成され、また、前記底部材１の前縁には刃部８が設けられ、この刃部８は、金属製の板材を前記底板材１及び前記左右部材２，３夫々の先端両面に折り返し挟み込み状態で設けて構成され、更に、前記左右部材２，３及び後部材４の上縁には補強枠９が設けられ、この補強枠９は、金属製の板材を前記左右部材２，３及び後部材４夫々の上縁両面に折り返し挟み込み状態で設けて構成されていることを特徴とする掃除具に係るものである。
【００１０】
また、所定巾及び所定深さを有する側溝などの掃除具であって、底部材１の左右には夫々左右部材２，３が立設され、更に、前記底部材１の後部には前記左右部材２，３と連設される後部材４が立設されたゴミ取り体５を有し、このゴミ取り体５には握柄６が設けられ、また、前記底部材１，前記左右部材２，３及び前記後部材４は線材が交叉状態に配されるアミ材７により構成され、また、前記底部材１の前縁には刃部８が設けられ、この刃部８は、金属製の板材を前記底板材１及び前記左右部材２，３夫々の先端両面に折り返し挟み込み状態で設けて構成され、更に、前記左右部材２，３及び後部材４の上縁には補強枠９が設けられ、この補強枠９は、金属製の板材を前記左右部材２，３及び後部材４夫々の上縁両面に折り返し挟み込み状態で設けて構成されていることを特徴とする掃除具に係るものである。
【００１１】
【発明の作用及び効果】
本発明は、常法に従い、握柄６を握ってゴミ取り体５で側溝の底に溜まった泥や草や紙などのゴミを掬い、この掬ったゴミをゴミ受け（容器）に入れて回収する。
【００１２】
ところで、本発明は、ゴミ取り体５の少なくとも底部材１は線材が交叉状態に配されるアミ材７により構成されている為、ゴミと共に掬った水分は底部材１で保持されず該底部材１の全面に及ぶアミ目を通過して流れ落ちることになる。
【００１３】
従って、従来例に比しゴミ取り体５における水はけが極めて良好となるから、作業者の負担が軽減されることになり側溝のゴミ取り作業の作業効率が飛躍的に向上することになる。
【００１４】
また、本発明は、底部材１は線材が交叉状態で配されるアミ材７で構成されているから、上記のとおり水分の通過は確実に許容され、且つ、アミ構造故にその表面に生じる凹凸にゴミが良好に引っ掛かり、ゴミの通過脱落は可及的に阻止されることになり、水はけ効果とゴミの保持効果とが確実に得られることになる。
【００１５】
また、本発明は、構成部材にアミ材を取り入れることでゴミ取り体５の軽量化が確実に達成されて扱い易く、材料も少なくて済み且つ簡易構造故にコスト安にして量産性に秀れることになる。
【００１６】
以上のように、本発明は、従来にない画期的な作用効果を発揮し、極めて商品価値の高いものになる。
【００１７】
【発明の実施の形態】
図面は本発明の一実施例を図示したものであり、以下に説明する。
【００１８】
本実施例は、側溝のゴミを掃除する掃除具Ａであって、ゴミ取り体５と、このゴミ取り体５に連設される握柄６とで構成されている。
【００１９】
以下、本実施例に係る構成各部について詳細な説明をする。
【００２０】
ゴミ取り体５は、図１に図示したように底部材１と、この底部材１の左右に立設される左右部材２，３と、この左右部材２，３に連設され、底部材１の後部位に立設される後部材４とで構成されている。
【００２１】
この底部材１，左右部材２，３及び後部材４は、図２に図示したように夫々適宜な金属製の縦線材７ａと横線材７ｂとが交叉状態に配され、所定大きさのアミ目７ｃを有するアミ材７で構成されている。このアミ材７の構成としては、例えば単に縦横の線材を上下に重合させるようにしても良いが、図面のように縦横の線材を糸を織るように配設すると表面の凹凸が顕著となり良い。要は、底部材１，左右部材２，３及び後部材４の表面に凹凸ができれば良い。
【００２２】
尚、少なくとも底部材１のみをアミ材７で構成するようにしても良く、また、金属製に限らず合成樹脂製の線材を交叉状態に配したアミ構成にしても良く、或いは、それらを混ぜた構成（例えば底部材１を金属製とし、その他の部位を合成樹脂製とする構成など）にしても良い。
【００２３】
また、底部材１及び左右部材２，３は、夫々その先端部に刃部８が設けられている。
【００２４】
この刃部８は、図１に図示したように適宜な金属製の板材を折り返し形成したものであり、底部材１及び左右部材２，３夫々の先端縁を挟み込み状態で該底部材１及び左右部材２，３と溶接されている。尚、底部材１，左右部材２，３及び後部材４を合成樹脂製とした場合には刃部８は合成樹脂製，金属製いずれでも良い。
【００２５】
この刃部８は、側溝の底に溜まる泥内へのゴミ取り体５の挿入を良好にする機能を発揮するとともに、ゴミ取り体５の補強枠としての機能をも発揮している。
【００２６】
また、ゴミ取り体５に係る左右部材２，３及び後部材４の上縁には補強枠９が設けられている。
【００２７】
この補強枠９は、前述した刃部８と同様、図１に図示したように適宜な金属製の板材９ａ，９ｂ，９ｃを折り返し形成したものであり、この各板材９ａ，９ｂ，９ｃは左右部材２，３及び後部材４夫々の上縁を挟み込み状態で該左右部材２，３及び後部材４と溶接されている。尚、各板材９ａ，９ｂ，９ｃは一体でも良く、更に、補強枠９は前記刃部８と一体でも良い。
【００２８】
また、左右部材２，３には適宜な金属製の補強桟10が突設されており、この補強桟10は握柄６の所定位置を貫通して、ゴミ取り体５と握柄６との間に架設されている。
【００２９】
握柄６は、図１に図示したように適宜な金属製のパイプ材で構成され、その下端部には、後部材４の上縁に設けた補強枠９に溶接される平板部６ａが形成され、その上端部にはキャップ６ｂが被嵌されている。尚、握柄６の素材は適宜選択し得るものである。
【００３０】
本実施例は上述のように構成したから、側溝のゴミ取り作業に際し、握柄６を握ってゴミ取り体５で側溝の底に溜まった泥や草や紙などのゴミを掬い、この掬ったゴミをゴミ受け（容器）に入れて回収する。
【００３１】
ゴミ取り体５でゴミを掬った際、ゴミ取り体５の底部材１，左右部材２，３及び後部材４は、夫々線材７ａ，７ｂが交互に配されるアミ材７により構成されている為、ゴミと共に掬った水分はゴミ取り体５に保持されることなく該ゴミ取り体５の全面に及ぶアミ目７ｃを通過して流れ落ちることになる。
【００３２】
よって、本実施例によれば、従来例に比しゴミ取り体５における水はけが極めて良好となるから、作業者の負担が軽減されて側溝のごみ取り作業の作業効率が飛躍的に向上することになる。
【００３３】
また、本実施例は、底部材１，左右部材２，３及び後部材４は線材７ａ，７ｂが交互に配されるアミ材７で構成されているから、水分の通過は許容され、且つ、アミ構造故にその表面に生じる凹凸にゴミが良好に引っ掛かり、ゴミの通過は可及的に阻止されることになるから、水はけ効果とゴミの保持効果との双方が確実に得られることになる。
【００３４】
また、本実施例は、構成部材にアミ材７を取り入れることでゴミ取り体５の軽量化が確実に達成されて扱い易く、材料も少なくて済み且つ簡易構造故にコスト安にして量産性に秀れることになる。
【図面の簡単な説明】
【図１】  本実施例を示す斜視図である。
【図２】  本実施例に係る要部の説明断面図である。
【符号の説明】
１  底部材
２  左部材
３  右部材
４  後部材
５  ゴミ取り体
６  握柄
７  アミ材
８  刃部
９ 補強枠
【図１】
0004617020.tif 000002
【図２】
0004617020.tif 000003